(57)【特許請求の範囲】
【請求項１】
キャップ（７）と、相互作用部材（１３）とを含む、薬物送達デバイス（１）であって、
前記キャップ（７）は、本体（７Ａ）と、該本体（７Ａ）内で可動に保持される少なくとも１つのインジケーション要素（１１）と、使用者に情報を表示するように構成された少なくとも１つの表示部材（１２）を含み、
インジケーション要素（１１）は、本体（７Ａ）に対して第１の位置から第２の位置に動くように構成され、キャップ（７）の表示部材（１２）を通じて使用者に示される情報は、インジケーション要素（１１）が第１の位置から第２の位置に動かされたときに変えられ、インジケーション要素（１１）が第１の位置にあるとき、インジケーション要素（１１）が表示部材（１２）を通じて使用者に見えないようにし、そして、インジケーション要素（１１）が第２の位置にあるとき、インジケーション要素（１１）が表示部材（１２）を通じて使用者に見えるようにし、
相互作用部材（１３）は、インジケーション要素（１１）を第１の位置から第２の位置に動かすようインジケーション要素（１１）と相互作用するように適合され配置される、前記薬物送達デバイス（１）。
【請求項２】
インジケーション要素（１１）が第１の位置に位置するときインジケーション要素（１１）は付勢されており、インジケーション要素（１１）が第２の位置に位置するとき、付勢が第１の位置における付勢と比べて低減される、請求項１に記載の薬物送達デバイス（１）。
【請求項３】
インジケーション要素（１１）はロッキング部分（１１Ａ）を含み、該ロッキング部分（１１Ａ）は、ロッキング部分（１１Ａ）と本体（７Ａ）の機械的協働によってインジケーション要素（１１）が第１の位置に戻る動きに抗して第２の位置にロックされるように適合され配置される、請求項１または２に記載の薬物送達デバイス（１）。
【請求項４】
インジケーション要素（１１）は、ロッキング部分（１１Ａ）と表示部材（１２）の機械的協働によって第２の位置にロックされる、請求項３に記載の薬物送達デバイス（１）。
【請求項５】
ロッキング部分（１１Ａ）は突起を含み、表示部材（１２）は開口部を含む、請求項４に記載の薬物送達デバイス（１）。
【請求項６】
インジケーション要素（１１）は保持部分（１１Ｂ）を含み、該保持部分（１１Ｂ）は、インジケーション要素（１１）を本体（７Ａ）内に保持するように構成される、請求項１〜５のいずれか１項に記載の薬物送達デバイス（１）。
【請求項７】
キャップ（７）は阻止部材（７Ｂ）を含み、インジケーション要素（１１）が第１の位置にあるとき、阻止部材（７Ｂ）は、インジケーション要素（１１）との機械的協働によって第１の位置から第２の位置に動かされたとき、インジケーション要素（１１）が動く方向と反対方向へのインジケーション要素（１１）の動きを阻止するように構成される、請求項１〜６のいずれか１項に記載の薬物送達デバイス（１）。
【請求項８】
インジケーション要素（１１）はリング状に形作られる、請求項１〜７のいずれか１項に記載の薬物送達デバイス（１）。
【請求項９】
インジケーション要素（１１）はキャップ（７）と異なる色を含む、請求項１〜８のいずれか１項に記載の薬物送達デバイス（１）。
【請求項１０】
薬物保持器（３、４）を含み、相互作用部材（１３）は薬物保持器（３、４）の一部である、請求項１〜９のいずれか１項に記載の薬物送達デバイス（１）。
【請求項１１】
相互作用部材（１３）はカムを含む、請求項１〜１０のいずれか１項に記載の薬物送達デバイス（１）。
【請求項１２】
キャップ（７）はデバイス（１）の部材に連結され、相互作用部材（１３）は、キャップ（７）がデバイス（１）から取り外されるときにインジケーション要素（１１）が相互作用部材（１３）に沿って進むように、かつインジケーション要素（１１）を第１の位置から第２の位置に動かすために相互作用部材（１３）がインジケーション要素（１１）と機械的に協働するように配置される、請求項１〜１１のいずれか１項に記載の薬物送達デバイス（１）。
【請求項１３】
薬物送達デバイスがペン型デバイスである、請求項１〜１２のいずれか１項に記載の薬物送達デバイス（１）。
【請求項１４】
本体（７Ａ）と、
該本体（７Ａ）内で可動に保持される少なくとも１つのインジケーション要素（１１）と
使用者に情報を表示するように構成された少なくとも１つの表示部材（１２）を含む、薬物送達デバイス（１）用のキャップ（７）であって、
インジケーション要素（１１）は、本体（７Ａ）に対して第１の位置から第２の位置に動くように構成され、キャップ（７）の表示部材（１２）を通じて使用者に示される情報は、インジケーション要素（１１）が第１の位置から第２の位置に動かされたときに変えられ、インジケーション要素（１１）が第１の位置にあるとき、インジケーション要素（１１）が表示部材（１２）を通じて使用者に見えないようにし、そして、インジケーション要素（１１）が第２の位置にあるとき、インジケーション要素（１１）が表示部材（１２）を通じて使用者に見えるようにし、
該キャップ（７）は阻止部材（７Ｂ）を含み、インジケーション要素（１１）が第１の位置にあるとき、阻止部材（７Ｂ）は、インジケーション要素（１１）との機械的協働によって第１の位置から第２の位置に動かされたとき、インジケーション要素（１１）が動く方向と反対方向へのインジケーション要素（１１）の動きを阻止するように構成される、前記キャップ（７）。
【発明の詳細な説明】
【技術分野】
【０００１】
本開示は、薬物送達デバイス用キャップ、およびそのキャップを含む薬物送達デバイスに関する。
【背景技術】
【０００２】
薬物送達デバイスには、多くの場合、デバイスの少なくともいくつかの部材を覆うためのキャップが設けられる。このようにして、デバイスの内部部材が環境の影響を受けないようにすることができる。
【０００３】
薬物送達デバイスが、たとえば特許文献１および特許文献２に記載されている。
【先行技術文献】
【特許文献】
【０００４】
【特許文献１】ＷＯ２００８／０５８６６６Ａ１
【特許文献２】ＷＯ２００８／０５８６６８Ａ１
【発明の概要】
【発明が解決しようとする課題】
【０００５】
本開示の目的は、改善されたキャップを提供することである。さらに、本開示の目的は、改善された薬物送達デバイスを提供することでもある。
【０００６】
この目的は、とりわけ独立請求項の主題によって達成することができる。有利な実施形態および改良は、従属請求項の主題である。しかし、現在特許請求されているものに加えて、さらに有利な概念を本明細書で開示する。
【課題を解決するための手段】
【０００７】
一態様は、薬物送達デバイス用キャップに関連する。このキャップは、デバイスの投薬端部を覆うように適合させ配置することができる。キャップは本体を含むことができる。さらにキャップは、少なくとも１つのインジケーション要素（ｉｎｄｉｃａｔｉｏｎ  ｅｌｅｍｅｎｔ）を含むことができる。キャップは、２つまたは３つ以上のインジケーション要素を含むことができる。インジケーション要素は、キャップ内、特に本体内で可動に保持すること（好ましくは恒久的に保持すること）ができる。インジケーション要素は、キャップの内側、特に本体の内側に保持することができる。インジケーション要素は、本体に対して第１の位置から第２の位置に動くように構成することができる。キャップは、使用者に情報を提供するように構成することができる。この情報は、デバイスの使用状態を示すことができる。この情報は、キャップがデバイスから少なくとも一度は取り外されたかどうか、特に、キャップがデバイスの要素に連結された後にキャップが初めて取り外されたかどうかを示すことができる。したがって、情報が使用状態を示すという語句は、薬物の用量がデバイスから投薬されたかどうかを情報が示すということを必ずしも意味しない。そうではなくて、情報は、使用者がキャップ７を少なくとも一度は取り外し、したがって、製造者から供給されたようなデバイスの滅菌性を低減させたかどうかを示すことができる。この情報によって使用者は、新しいデバイスと使用中のデバイス（たとえば、少なくとも一度はキャップが取り外されたデバイス）とを区別することができる。キャップによって使用者に示される情報は、インジケーション要素が第１の位置から第２の位置に動かされたときに変わり得る。
【０００８】
インジケーション要素が第１の位置に位置するとき、インジケーション要素は、たとえば本体を用いて使用者から見えないようにすることができる。言い換えると、インジケーション要素は本体によって隠すことができる。それに応じて、本体は不透明とすることができる。インジケーション要素が使用者から見えないようにされている場合、使用者は、デバイスがまだ使用されていないこと、および／またはキャップがデバイスから初めてでも取り外されていないことを知ることができる。
【０００９】
インジケーション要素が第２の位置に位置するとき、インジケーション要素は、たとえばキャップの本体に設けられた窓を通して使用者に見えるようにすることができる。したがって、インジケーション要素が第１の位置から第２の位置に動かされたときに、インジケーション要素は使用者に見えるようになり得る。使用者は、インジケーション要素を見るとすぐに、デバイスが使用中であるか、または少なくとも一度は使用されたこと、および／またはキャップが少なくとも一度はデバイスから取り外されたことを知ることができる。インジケーション要素がどちらの位置を取る可能性があろうとも、使用者は、キャップを見るとすぐにデバイスの使用状態を認識することができる。これは、使用者の安全を向上する助けとなり得る。
【００１０】
さらなる態様は、薬物送達デバイスに関連する。この薬物送達デバイスは、前述のキャップを含むことができる。したがって、キャップについて本明細書の上記および下記で説明される特徴はまた、デバイスに適用することもでき、逆も同様である。デバイスはさらに、相互作用部材を含むことができる。相互作用部材は、インジケーション要素と相互作用するように適合させ配置することができる。インジケーション要素は、相互作用部材がインジケーション要素と機械的に協働するときに、第１の位置から第２の位置に動かすことができる。インジケーション要素は、キャップがデバイスから取り外されるときだけ、特にキャップがデバイスから初めて取り外されるときだけ、第１の位置から第２の位置に動かすことができる。
【００１１】
相互作用部材は、デバイスの部材の一部とすることができる。キャップをデバイスに対して動かすとき、たとえばキャップをデバイスから取り外すとき、相互作用部材はインジケーション要素と機械的に協働することができる。こうして、キャップによって提供される情報は、相互作用部材がインジケーション要素と機械的に協働するときに変わり得る。使用者はキャップを見ることによって、デバイスが使用中であるかどうか、特にキャップが少なくとも一度は取り外されたかどうかをすぐに知ることができる。これは、使用者の安全を向上する助けとなり得る。
【００１２】
好ましい実施形態によれば、本体と、本体内で可動に保持される少なくとも１つのインジケーション要素とを含む、薬物送達デバイス用キャップが提供される。インジケーション要素は、本体に対して第１の位置から第２の位置に動くように構成され、キャップによって使用者に示される情報は、インジケーション要素が第１の位置から第２の位置に動かされたときに変えられる。
【００１３】
好ましい実施形態によれば、前述のキャップおよび相互作用部材を含む薬物送達デバイスが提供され、相互作用部材は、相互作用部材がインジケーション要素と機械的に協働するときにインジケーション要素を第１の位置から第２の位置に動かすようインジケーション要素と相互作用するように適合され配置されている。
【００１４】
もちろん、異なる態様および実施形態に関連して上述した諸機能は互いに、また以下で説明する諸機能と組み合わせることができる。
【００１５】
さらなる機能および改良は、添付の図と関連した例示的な実施形態についての以下の説明から明らかになる。
【図面の簡単な説明】
【００１６】
【図１】薬物送達デバイスを概略的に示す斜視側面図である。
【図２】図１の薬物送達デバイスの一部分を概略的に示す断面側面図である。
【図３】図１の薬物送達デバイスの一部分を概略的に示す断面側面図である。
【発明を実施するための形態】
【００１７】
同様の要素、同じ種類の要素、および全く同様に作動する要素は、図中で同じ参照番号を用いて提示されることがある。
【００１８】
図１に薬物送達デバイス１が示されている。薬物送達デバイス１はハウジング２を含む。薬物送達デバイス１および／またはその部材は、遠位端および近位端を有する。遠位端は矢印８で示されている。近位端は矢印９で示されている。「遠位端」という用語は、薬物送達デバイス１の投薬端部に最も近い、または最も近くに配置されるべき薬物送達デバイス１の端部または部材を表す。「近位端」という用語は、システム１の投薬端部から最も遠い、または最も遠くに配置されるべきシステム１の端部または部材を表す。遠位端と近位端は、軸１４の方向に互いに間隔が空けられている。この軸は、薬物送達デバイス１またはその要素の縦軸とすることができる。
【００１９】
薬物送達デバイス１は、薬物保持器３、４を含む。薬物保持器３、４は、カートリッジホルダ３を含むことができる。薬物送達デバイス１は、カートリッジ４を含む。カートリッジ４は、カートリッジホルダ３の中に保持される。カートリッジホルダ３は、カートリッジ４の位置を機械的に安定させる。代替実施形態では、薬物保持器３、４はカートリッジ４を含むことができる。この実施形態では、カートリッジホルダ３は余分であり得る。
【００２０】
カートリッジホルダ３、特にカートリッジホルダ３の近位端は、たとえばねじ係合によって、薬物送達デバイス１のハウジング２と連結可能である。あるいは、カートリッジ３が余分である実施形態では、カートリッジ４はハウジング２に直に連結することができる（たとえば図１参照）。
【００２１】
カートリッジ４は薬物１０（好ましくは薬物１０の複数の用量）を含むことができる。薬物１０は、液体薬物とすることができる。
【００２２】
本明細書で使用する用語「薬物」は、好ましくは少なくとも１つの薬学的に活性な化合物を含む医薬製剤を意味し、
ここで、一実施形態において、薬学的に活性な化合物は、最大１５００Ｄａまでの分子量を有し、および／または、ペプチド、タンパク質、多糖類、ワクチン、ＤＮＡ、ＲＮＡ、酵素、抗体もしくはそのフラグメント、ホルモンもしくはオリゴヌクレオチド、または上述の薬学的に活性な化合物の混合物であり、
ここで、さらなる実施形態において、薬学的に活性な化合物は、糖尿病、または糖尿病性網膜症などの糖尿病関連の合併症、深部静脈血栓塞栓症または肺血栓塞栓症などの血栓塞栓症、急性冠症候群（ＡＣＳ）、狭心症、心筋梗塞、がん、黄斑変性症、炎症、枯草熱、アテローム性動脈硬化症および／または関節リウマチの処置および／または予防に有用であり、
ここで、さらなる実施形態において、薬学的に活性な化合物は、糖尿病または糖尿病性網膜症などの糖尿病に関連する合併症の処置および／または予防のための少なくとも１つのペプチドを含み、
ここで、さらなる実施形態において、薬学的に活性な化合物は、少なくとも１つのヒトインスリンもしくはヒトインスリン類似体もしくは誘導体、グルカゴン様ペプチド（ＧＬＰ−１）もしくはその類似体もしくは誘導体、またはエキセンジン−３もしくはエキセンジン−４もしくはエキセンジン−３もしくはエキセンジン−４の類似体もしくは誘導体を含む。
【００２３】
インスリン類似体は、たとえば、Ｇｌｙ（Ａ２１），Ａｒｇ（Ｂ３１），Ａｒｇ（Ｂ３２）ヒトインスリン；Ｌｙｓ（Ｂ３），Ｇｌｕ（Ｂ２９）ヒトインスリン；Ｌｙｓ（Ｂ２８），Ｐｒｏ（Ｂ２９）ヒトインスリン；Ａｓｐ（Ｂ２８）ヒトインスリン；Ｂ２８位におけるプロリンがＡｓｐ、Ｌｙｓ、Ｌｅｕ、Ｖａｌ、またはＡｌａで置き換えられており、Ｂ２９位において、ＬｙｓがＰｒｏで置き換えられていてもよいヒトインスリン；Ａｌａ（Ｂ２６）ヒトインスリン；Ｄｅｓ（Ｂ２８−Ｂ３０）ヒトインスリン；Ｄｅｓ（Ｂ２７）ヒトインスリン、およびＤｅｓ（Ｂ３０）ヒトインスリンである。
【００２４】
インスリン誘導体は、たとえば、Ｂ２９−Ｎ−ミリストイル−ｄｅｓ（Ｂ３０）ヒトインスリン；Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイルヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−γ−グルタミル）−ｄｅｓ（Ｂ３０）ヒトインスリン；Ｂ２９−Ｎ−（Ｎ−リトコリル−γ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン、およびＢ２９−Ｎ−（ω−カルボキシヘプタデカノイル）ヒトインスリンである。
【００２５】
エキセンジン−４は、たとえば、Ｈ−Ｈｉｓ−Ｇｌｙ−Ｇｌｕ−Ｇｌｙ−Ｔｈｒ−Ｐｈｅ−Ｔｈｒ−Ｓｅｒ−Ａｓｐ−Ｌｅｕ−Ｓｅｒ−Ｌｙｓ−Ｇｌｎ−Ｍｅｔ−Ｇｌｕ−Ｇｌｕ−Ｇｌｕ−Ａｌａ−Ｖａｌ−Ａｒｇ−Ｌｅｕ−Ｐｈｅ−Ｉｌｅ−Ｇｌｕ−Ｔｒｐ−Ｌｅｕ−Ｌｙｓ−Ａｓｎ−Ｇｌｙ−Ｇｌｙ−Ｐｒｏ−Ｓｅｒ−Ｓｅｒ−Ｇｌｙ−Ａｌａ−Ｐｒｏ−Ｐｒｏ−Ｐｒｏ−Ｓｅｒ−ＮＨ２配列のペプチドであるエキセンジン−４（１−３９）を意味する。
【００２６】
エキセンジン−４誘導体は、たとえば、以下のリストの化合物：
Ｈ−（Ｌｙｓ）４−ｄｅｓＰｒｏ３６，ｄｅｓＰｒｏ３７エキセンジン−４（１−３９）−ＮＨ２、
Ｈ−（Ｌｙｓ）５−ｄｅｓＰｒｏ３６，ｄｅｓＰｒｏ３７エキセンジン−４（１−３９）−ＮＨ２、
ｄｅｓＰｒｏ３６エキセンジン−４（１−３９）、
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−（１−３９）、
ｄｅｓＰｒｏ３６［Ｔｒｐ（Ｏ２）２５，Ａｓｐ２８］エキセンジン−４（１−３９）、
ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４，Ｔｒｐ（Ｏ２）２５，Ａｓｐ２８］エキセンジン−４（１−３９）、
ｄｅｓＰｒｏ３６［Ｍｅｔ（Ｏ）１４Ｔｒｐ（Ｏ２）２５，ＩｓｏＡｓｐ２８］エキセンジン−４（１−３９）；または
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−（１−３９）、
ｄｅｓＰｒｏ３６［Ｔｒｐ（Ｏ２）２５，Ａｓｐ２８］エキセンジン−４（１−３９）、
ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４，Ｔｒｐ（Ｏ２）２５，Ａｓｐ２８］エキセンジン−４（１−３９）、
ｄｅｓＰｒｏ３６［Ｍｅｔ（Ｏ）１４，Ｔｒｐ（Ｏ２）２５，ＩｓｏＡｓｐ２８］エキセンジン−４（１−３９）、
（ここで、基−Ｌｙｓ６−ＮＨ２が、エキセンジン−４誘導体のＣ−末端に結合していてもよい）；
【００２７】
または、以下の配列のエキセンジン−４誘導体：
ｄｅｓＰｒｏ３６エキセンジン−４（１−３９）−Ｌｙｓ６−ＮＨ２（ＡＶＥ００１０）、
Ｈ−（Ｌｙｓ）６−ｄｅｓＰｒｏ３６［Ａｓｐ２８］エキセンジン−４（１−３９）−Ｌｙｓ６−ＮＨ２、
ｄｅｓＡｓｐ２８Ｐｒｏ３６，Ｐｒｏ３７，Ｐｒｏ３８エキセンジン−４（１−３９）−ＮＨ２、
Ｈ−（Ｌｙｓ）６−ｄｅｓＰｒｏ３６，Ｐｒｏ３８［Ａｓｐ２８］エキセンジン−４（１−３９）−ＮＨ２、
Ｈ−Ａｓｎ−（Ｇｌｕ）５ｄｅｓＰｒｏ３６，Ｐｒｏ３７，Ｐｒｏ３８［Ａｓｐ２８］エキセンジン−４（１−３９）−ＮＨ２、
ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−（Ｌｙｓ）６−ｄｅｓＰｒｏ３６［Ｔｒｐ（Ｏ２）２５，Ａｓｐ２８］エキセンジン−４（１−３９）−Ｌｙｓ６−ＮＨ２、
Ｈ−ｄｅｓＡｓｐ２８Ｐｒｏ３６，Ｐｒｏ３７，Ｐｒｏ３８［Ｔｒｐ（Ｏ２）２５］エキセンジン−４（１−３９）−ＮＨ２、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ２、
ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６［Ｍｅｔ（Ｏ）１４，Ａｓｐ２８］エキセンジン−４（１−３９）−Ｌｙｓ６−ＮＨ２、
ｄｅｓＭｅｔ（Ｏ）１４，Ａｓｐ２８Ｐｒｏ３６，Ｐｒｏ３７，Ｐｒｏ３８エキセンジン−４（１−３９）−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２；
ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−Ａｓｎ−（Ｇｌｕ）５ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−Ｌｙｓ６−ｄｅｓＰｒｏ３６［Ｍｅｔ（Ｏ）１４，Ｔｒｐ（Ｏ２）２５，Ａｓｐ２８］エキセンジン−４（１−３９）−Ｌｙｓ６−ＮＨ２、
Ｈ−ｄｅｓＡｓｐ２８，Ｐｒｏ３６，Ｐｒｏ３７，Ｐｒｏ３８［Ｍｅｔ（Ｏ）１４，Ｔｒｐ（Ｏ２）２５］エキセンジン−４（１−３９）−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−ＮＨ２、
ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（Ｓ１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ２；
または前述のいずれか１つのエキセンジン−４誘導体の薬学的に許容される塩もしくは溶媒和化合物
から選択される。
【００２８】
ホルモンは、たとえば、ゴナドトロピン（フォリトロピン、ルトロピン、コリオンゴナドトロピン、メノトロピン）、ソマトロピン（ソマトロピン）、デスモプレシン、テルリプレシン、ゴナドレリン、トリプトレリン、ロイプロレリン、ブセレリン、ナファレリン、ゴセレリンなどの、Ｒｏｔｅ  Ｌｉｓｔｅ、２００８年版、５０章に列挙されている脳下垂体ホルモンまたは視床下部ホルモンまたは調節性活性ペプチドおよびそれらのアンタゴニストである。
【００２９】
多糖類としては、たとえば、グルコサミノグリカン、ヒアルロン酸、ヘパリン、低分子量ヘパリン、もしくは超低分子量ヘパリン、またはそれらの誘導体、または上述の多糖類の硫酸化形態、たとえば、ポリ硫酸化形態、および／または、薬学的に許容されるそれらの塩がある。ポリ硫酸化低分子量ヘパリンの薬学的に許容される塩の例としては、エノキサパリンナトリウムがある。
【００３０】
抗体は、基本構造を共有する免疫グロブリンとしても知られている球状血漿タンパク質（約１５０ｋＤａ）である。これらは、アミノ酸残基に付加された糖鎖を有するので、糖タンパク質である。各抗体の基本的な機能単位は免疫グロブリン（Ｉｇ）単量体（１つのＩｇ単位のみを含む）であり、分泌型抗体はまた、ＩｇＡなどの２つのＩｇ単位を有する二量体、硬骨魚のＩｇＭのような４つのＩｇ単位を有する四量体、または哺乳動物のＩｇＭのように５つのＩｇ単位を有する五量体でもあり得る。
【００３１】
Ｉｇ単量体は、４つのポリペプチド鎖、すなわち、システイン残基間のジスルフィド結合によって結合された２つの同一の重鎖および２本の同一の軽鎖から構成される「Ｙ」字型の分子である。それぞれの重鎖は約４４０アミノ酸長であり、それぞれの軽鎖は約２２０アミノ酸長である。重鎖および軽鎖はそれぞれ、これらの折り畳み構造を安定化させる鎖内ジスルフィド結合を含む。それぞれの鎖は、Ｉｇドメインと呼ばれる構造ドメインから構成される。これらのドメインは約７０〜１１０個のアミノ酸を含み、そのサイズおよび機能に基づいて異なるカテゴリー（たとえば、可変すなわちＶ、および定常すなわちＣ）に分類される。これらは、２つのβシートが、保存されたシステインと他の荷電アミノ酸との間の相互作用によって一緒に保持される「サンドイッチ」形状を作り出す特徴的な免疫グロブリン折り畳み構造を有する。
【００３２】
α、δ、ε、γおよびμで表される５種類の哺乳類Ｉｇ重鎖が存在する。存在する重鎖の種類により抗体のアイソタイプが定義され、これらの鎖はそれぞれ、ＩｇＡ、ＩｇＤ、ＩｇＥ、ＩｇＧおよびＩｇＭ抗体中に見出される。
【００３３】
異なる重鎖はサイズおよび組成が異なり、αおよびγは約４５０個のアミノ酸を含み、δは約５００個のアミノ酸を含み、μおよびεは約５５０個のアミノ酸を有する。各重鎖は、２つの領域、すなわち定常領域（ＣＨ）と可変領域（ＶＨ）を有する。１つの種において、定常領域は、同じアイソタイプのすべての抗体で本質的に同一であるが、異なるアイソタイプの抗体では異なる。重鎖γ、α、およびδは、３つのタンデム型のＩｇドメインと、可撓性を加えるためのヒンジ領域とから構成される定常領域を有し、重鎖μおよびεは、４つの免疫グロブリン・ドメインから構成される定常領域を有する。重鎖の可変領域は、異なるＢ細胞によって産生された抗体では異なるが、単一Ｂ細胞またはＢ細胞クローンによって産生された抗体すべてについては同じである。各重鎖の可変領域は、約１１０アミノ酸長であり、単一のＩｇドメインから構成される。
【００３４】
哺乳類では、λおよびκで表される２種類の免疫グロブリン軽鎖がある。軽鎖は２つの連続するドメイン、すなわち１つの定常ドメイン（ＣＬ）および１つの可変ドメイン（ＶＬ）を有する。軽鎖のおおよその長さは、２１１〜２１７個のアミノ酸である。各抗体は、常に同一である２本の軽鎖を有し、哺乳類の各抗体につき、軽鎖κまたはλの１つのタイプのみが存在する。
【００３５】
すべての抗体の一般的な構造は非常に類似しているが、所与の抗体の固有の特性は、上記で詳述したように、可変（Ｖ）領域によって決定される。より具体的には、各軽鎖（ＶＬ）について３つおよび重鎖（ＶＨ）に３つの可変ループが、抗原との結合、すなわちその抗原特異性に関与する。これらのループは、相補性決定領域（ＣＤＲ）と呼ばれる。ＶＨドメインおよびＶＬドメインの両方からのＣＤＲが抗原結合部位に寄与するので、最終的な抗原特異性を決定するのは重鎖と軽鎖の組合せであり、どちらか単独ではない。
【００３６】
「抗体フラグメント」は、上記で定義した少なくとも１つの抗原結合フラグメントを含み、そのフラグメントが由来する完全抗体と本質的に同じ機能および特異性を示す。パパインによる限定的なタンパク質消化は、Ｉｇプロトタイプを３つのフラグメントに切断する。１つの完全なＬ鎖および約半分のＨ鎖をそれぞれが含む２つの同一のアミノ末端フラグメントが、抗原結合フラグメント（Ｆａｂ）である。サイズが同等であるが、鎖間ジスルフィド結合を有する両方の重鎖の半分の位置でカルボキシル末端を含む第３のフラグメントは、結晶可能なフラグメント（Ｆｃ）である。Ｆｃは、炭水化物、相補結合部位、およびＦｃＲ結合部位を含む。限定的なペプシン消化により、Ｆａｂ片とＨ−Ｈ鎖間ジスルフィド結合を含むヒンジ領域の両方を含む単一のＦ（ａｂ’）２フラグメントが得られる。Ｆ（ａｂ’）２は、抗原結合に対して二価である。Ｆ（ａｂ’）２のジスルフィド結合は、Ｆａｂ’を得るために切断することができる。さらに、重鎖および軽鎖の可変領域は、縮合して単鎖可変フラグメント（ｓｃＦｖ）を形成することもできる。
【００３７】
薬学的に許容される塩は、たとえば、酸付加塩および塩基性塩である。酸付加塩としては、たとえば、ＨＣｌまたはＨＢｒ塩がある。塩基性塩は、たとえば、アルカリまたはアルカリ土類、たとえば、Ｎａ＋、またはＫ＋、またはＣａ２＋から選択されるカチオン、または、アンモニウムイオンＮ＋（Ｒ１）（Ｒ２）（Ｒ３）（Ｒ４）（式中、Ｒ１〜Ｒ４は互いに独立に：水素、場合により置換されたＣ１〜Ｃ６アルキル基、場合により置換されたＣ２〜Ｃ６アルケニル基、場合により置換されたＣ６〜Ｃ１０アリール基、または場合により置換されたＣ６〜Ｃ１０ヘテロアリール基を意味する）を有する塩である。薬学的に許容される塩のさらなる例は、「Ｒｅｍｉｎｇｔｏｎ’ｓ  Ｐｈａｒｍａｃｅｕｔｉｃａｌ  Ｓｃｉｅｎｃｅｓ」１７版、Ａｌｆｏｎｓｏ  Ｒ．Ｇｅｎｎａｒｏ（編）、Ｍａｒｋ  Ｐｕｂｌｉｓｈｉｎｇ  Ｃｏｍｐａｎｙ、Ｅａｓｔｏｎ、Ｐａ．、Ｕ．Ｓ．Ａ．、１９８５およびＥｎｃｙｃｌｏｐｅｄｉａ  ｏｆ  Ｐｈａｒｍａｃｅｕｔｉｃａｌ  Ｔｅｃｈｎｏｌｏｇｙに記載されている。
【００３８】
薬学的に許容される溶媒和物は、たとえば、水和物である。
【００３９】
栓１５は、カートリッジ４の中に可動で保持される。栓１５は、カートリッジ４を近位で封止する。特にカートリッジ４は、たとえば充填済みカートリッジとすることができる。カートリッジ４の遠位端と環境の間の流体連通がたとえば針（各図には明示されていない）を介して確立されていれば、栓１５の、カートリッジ４に対して遠位方向の動きにより、薬剤１０がカートリッジ４から投薬される。
【００４０】
薬物送達デバイス１は、ペン型デバイス、特にペン型注射器とすることができる。デバイス１は、薬物１０の固定用量（すなわち使用者が変えることができない用量）を投薬するように構成することができる。あるいは、デバイス１は、薬物１０の可変用量（すなわち使用者が変えることができる用量）を投薬するように構成することもできる。デバイス１は再使用可能デバイスとすることができ、これはカートリッジ４を、特に再設定作業中に、交換貯蔵器から複数の用量を投薬するための交換貯蔵器と取り換えることができることを意味する。あるいは、デバイス１は使い捨てデバイスとすることもできる。この場合、カートリッジ４は取り換えることができない。カートリッジ４は、たとえばカートリッジホルダ３と解放不能に連結することができる。薬物送達デバイス１は、多用量デバイス（すなわち薬物１０の複数の用量を設定および投薬するように構成されたデバイス）とすることができる。薬物送達デバイス１は駆動機構を含む。駆動機構１０は、ハウジング２内に保持することができる。この駆動機構は、薬物１０の用量を設定および投薬するために使用される。
【００４１】
駆動機構はピストンロッド５を含む。ピストンロッド５は遠位端および近位端を有する。ピストンロッド５の遠位端は、ピストンロッド５がデバイス１の中に導入されたときに、薬物送達デバイス１の遠位端に最も近くなる端部とすることができる。ピストンロッド５の近位端は、ピストンロッド５がデバイス１の中に導入されたときに、薬物送達デバイス１の遠位端１２から最も遠くなる端部とすることができる。ピストンロッド５は、デバイス１のハウジング２を通って延びる。ピストンロッド５は、たとえば薬物１０を送達する目的のために、薬物送達デバイス１を介して軸方向の動きを伝達するように設計されている。ピストンロッド５は、薬物１０の用量を送達するために、用量送達方向の軸方向に変位可能である。用量送達方向は、ハウジング２に対して遠位方向とすることができる。好ましくは、ピストンロッド５は、駆動機構のさらなる部材との機械的協働によって、用量設定方向の軸方向に変位しないようになっている。用量設定方向は、ハウジング２に対して近位方向とすることができる。好ましくは、ピストンロッド５は、たとえばハウジング２との機械的な協働によって、薬物１０の用量を設定および送達するときにハウジング２に対して回転しないようになっている。薬物送達デバイス１は、薬物１０の用量を設定および／または投薬するために使用される用量ボタン６を含む。
【００４２】
薬物送達デバイス１はキャップ７を含む。キャップ７は、デバイス１の少なくともいくつかの部分を覆うように構成される。キャップ７は、デバイス１の投薬端部を覆うように構成される。キャップ７は、デバイス１の遠位端に取り付けられた針（各図には明示されていない）を覆うように適合され配置される。さらに、キャップ７は、薬物保持器３、４の少なくとも一部分を覆うように適合され配置される。好ましくは、キャップ７は、薬物保持器の大部分（７５%以上など）または薬物保持器３、４全体を覆う。キャップ７は、薬物保持器３、４と連結（好ましくは解放可能に連結）することができる。キャップ７は、たとえばカートリッジホルダ３と連結可能である。キャップ７は、カートリッジホルダ３の近位端部と連結可能とすることができる。キャップ７は、ねじ付連結部、スナップ式連結部、またはピン・溝協働によってカートリッジホルダ３と連結することができる。カートリッジホルダ３が余分である実施形態では、キャップ７はカートリッジ４と直に連結可能とすることができる。代替実施形態では、キャップ７はハウジング２、特にハウジング２の遠位端部と連結することができる。
【００４３】
図２および図３は、図１の薬物送達デバイス１の一部分の断面図を概略的に示す。
【００４４】
キャップ７は本体７Ａを含む。本体７Ａは不透明である。本体７Ａは可撓性とすることができる。本体７Ａは弾性的に変形可能とすることができる。本体７Ａは閉端部７Ｃを含む。閉端部７Ｃは、キャップ７がデバイス１に連結されるときにデバイス１の投薬端部に最も近く配置される端部である。キャップ７は開端部７Ｄを含む。開端部７Ｄは、デバイス１の少なくとも一部分、たとえば、カートリッジホルダ３の一部分またはカートリッジホルダ３全部を受けるように構成される。具体的には、開端部７Ｄは、カートリッジホルダ３および／またはカートリッジ４を受けるのに適した径方向寸法を有する。開端部７Ｄは、キャップ７がデバイス１に連結されるときにデバイス１の投薬端部から最も遠くに配置される端部である。
【００４５】
キャップ７は表示部材１２を含む。あるいは、キャップ７は２つまたは３つ以上の表示部材１２を含むことができる。表示部材１２は、使用者に対して情報を表示するように構成される。表示部材１２は窓とすることができる。表示部材１２は開口部を含むことができる。開口部は、本体７Ａの表面に配置することができる。
【００４６】
キャップ７はインジケーション要素１１を含む。インジケーション要素１１は、キャップ７の中に保持（好ましくは恒久的に保持）される。具体的には、インジケーション要素１１は薬物保持器３、４によっては提供されない。そうではなくて、インジケーション要素１１は、薬物保持器３、４に対して連結可能であり可動である部材、すなわちキャップ７によって提供される。
【００４７】
インジケーション要素１１は、キャップ７、特に本体７Ａ内に可動で保持される。たとえば、インジケーション要素１１は、本体７Ａに対して第１の位置から第２の位置に軸方向に可動であるが、これについては後でより詳細に説明する。インジケーション要素１１は、キャップ７の内部に配置される。インジケーション要素１１は、本体７Ａと連結することが特にその内面を介してできる。図示の実施形態では、インジケーション要素１１は、本体７Ａとインジケーション要素１１の間に確立されるクランピング動作によって本体７Ａと連結される。スナップ式連結部のような他の解放可能連結部はまた、インジケーション要素１１を本体７Ａに連結するのに適用することもできる。この連結部は、好ましくは、インジケーション要素１１の、本体７Ａに対する偶発的な動きを防止するのに十分な強度である。したがって、インジケーション要素１１とキャップ７の間の連結部は、好都合なことに解放可能な安定した連結部であり、連結部が意図的に解放されるまで安定している。
【００４８】
インジケーション要素１１は可撓性とすることができる。インジケーション要素１１は弾性的に変形可能である。インジケーション要素１１は、たとえば、プラスチック材料を含むことができる。インジケーション要素１１は、本体７Ａの内面に沿って配置される。インジケーション要素１１は、リング状またはトーラス状に形成される。代替実施形態では、インジケーション要素１１は、旗の形状、または説明したインジケーション要素１１の特徴と一致する任意の形状を含むことができる。インジケーション要素１１は、保持部分１１Ｂ（図３参照）を含む。保持部分１１Ｂは、本体７Ａ、特に本体７Ａの内面と機械的に協働するように構成され、そのためインジケーション要素１１がキャップ７内に保持されるようになる。たとえば、インジケーション要素１１は、保持部分１１Ｂと本体７Ａの内面との機械的協働によって、キャップ７にクランプされる。
【００４９】
インジケーション要素１１、特に保持部分１１Ｂは、本体７Ａの内壁と機械的に協働する。本体７Ａ、特に本体７Ａの内面または内壁は、阻止部材７Ｂを含む。阻止部材７Ｂは突起を含むことができる。阻止部材７Ｂは、本体７Ａの内面まわりに配置することができる。阻止部材７Ｂはフランジを含むことができる。阻止部材７Ｂは、内面から径方向内向きに突出する。インジケーション要素１１、特に保持部分１１Ｂと阻止部材７Ｂの機械的協働によって、インジケーション要素１１の、本体７Ａに対する遠位方向の動きが防止される。具体的には、阻止部材７Ｂとインジケーション要素１１の機械的協働によって、キャップ７の閉端部７Ｃに向かうインジケーション要素１１の動きが制限される。阻止部材７Ｂとインジケーション要素１１の機械的協働によって第１の位置から第２の位置に動かされたときインジケーション要素１１が動く方向と反対のインジケーション要素１１の動きは、インジケーション要素１１が第１の位置にあるときには阻止される。
【００５０】
インジケーション要素１１はロッキング部分１１Ａを含む。図示の実施形態では、ロッキング部分１１Ａは、保持部分１１Ｂよりも軸寸法が小さい。言い換えると、保持部分１１Ｂはロッキング部分１１Ａよりも長い。ロッキング部分１１Ａは、保持部分１１Ｂよりもキャップ７の開端部７Ｄに近く配置される。ロッキング部分１１Ａは、保持部分１１Ｂよりもインジケーション要素１１の第２の位置に近く配置される。
【００５１】
ロッキング部分１１Ａはインジケーション要素１１の突起を含むことができる。ロッキング部分１１Ａは、保持部分１１Ｂに対して半径方向に、好ましくは径方向外向きに突出することができる。表示部材１２は、ロッキング部分１１Ａを受けるように構成される。ロッキング部分１１Ａは、インジケーション要素１１が第２の位置にあるときにインジケーション要素１１を表示部材１２内に恒久的にロックするために、表示部材１２と機械的に協働するように構成されるが、これについては後で詳細に説明する。
【００５２】
インジケーション要素１１は、上述のように本体７Ａに対して可動である。インジケーション要素１１は、本体７Ａに対して第１の位置から（図２参照）、本体７Ａに対して第２の位置に（図３参照）可動である。第１および第２の位置は、インジケーション要素１１の安定した位置である。第１の位置は一時的に安定した位置とすることができる。第１の位置は、保持部分１１Ｂと本体７Ａの機械的協働によって、特に本体７Ａにクランプされている保持部分１１Ｂによって、一時的に安定していることができる。第１の位置から、インジケーション要素１１は第２の位置に可動とすることができる。第２の位置は、恒久的に安定した位置とすることができる。第２の位置は、ロッキング部分１１Ａと表示部１２の機械的協働によって、特に表示部にロックされているロッキング部分１１Ａによって、恒久的に安定していることができる。インジケーション要素１１は、第２の位置から元の第１の位置に可動にはできない。第２の位置では、インジケーション要素１１は、好都合なことに本体７Ａに解放不能に連結される。
【００５３】
インジケーション要素１１が第１の位置にあるとき、インジケーション要素１１は使用者から見ることができない。具体的には、インジケーション要素１１は、本体７Ａによって使用者からは見えないようになっている。インジケーション要素１１は、本体７Ａによって完全に隠される。第１の位置では（図２参照）、インジケーション要素１１は付勢されている。具体的には、インジケーション要素１１は、本体７Ａにインジケーション要素１１をクランプすることにより弾性的に変形されている。インジケーション要素１１は、力がインジケーション要素１１に作用してインジケーション要素１１が本体７Ａに対して径方向外向きに動く傾向になるように付勢される。第１の位置では、インジケーション要素１１で、特に保持部分１１Ｂは、キャップ７の内側に突出する。インジケーション要素１１は、ある角度が保持部分１１Ｂと本体７Ａの内面との間にあるように、内側に突出する。この角度は、９０度未満（好ましくは４５度未満）とすることができる。この角度は１５度以上とすることができる。第１の位置では、インジケーション要素１１で、特に保持部１１Ｂは、本体７Ａの阻止部材７Ｂに当接することができる。したがって、第１の位置は、本体７Ａに対してインジケーション要素１１の最も遠位の位置とすることができる。この位置は、インジケーション要素１１が第１の位置から第２の位置へ可動であるように、一時的に安定していることができる。
【００５４】
第２の位置では（図３参照）、インジケーション要素１１は第１の位置よりも小さく付勢される。具体的には、保持部分１１Ｂと本体７Ａの内面との間の角度は、インジケーション要素１１が第２の位置にあるときに１０度未満、好ましくは０度とすることができる。インジケーション要素１１が第２の位置にあるとき、保持部分１１Ｂと本体７Ａの内面との間には角度がない。保持部分１１Ｂは、インジケーション要素１１が第２の位置にあるとき、本体７Ａの内面と当接することができる。第２の位置は、上述のように恒久的に安定している位置である。第２の位置では、インジケーション要素１１で、特にロッキング部分１１Ａは、表示部材１２にロックされる。具体的には、ロッキング部分１１Ａは、インジケーション要素１１が表示部材１２に受け入れられ、第２の位置に恒久的にロックされるように、表示部材１２と機械的に協働する。第２の位置では、インジケーション要素１１の少なくとも一部分、特にロッキング部分１１Ａは、使用者が見ることができる。具体的には、ロッキング部分１１Ａは、表示部材１２を通して見ることができる。第２の位置では、インジケーション要素１１で、特に表示部分１１Ｂは、本体７Ａの阻止部材７Ｂに当接しないようになっている。したがって、第２の位置は、インジケーション要素１１の、本体７Ａに対して最も近位の位置とすることができる。
【００５５】
デバイス１は相互作用部材１３を含む。あるいは、デバイス１３は、２つまたは３つ以上の相互作用部材１３を含むことができる。相互作用部材１３は、デバイス１の部材の一部とすることができる。相互作用部材１３は、薬物保持器３、４によって提供することができる。たとえば、相互作用部材１３は、カートリッジホルダ３の部材の一部とすることができる。あるいは、カートリッジホルダ３が余分である実施形態では、相互作用部材１３は、カートリッジ４の一部とすることができる。相互作用部材１３は、インジケーション要素１１が第１の位置から第２の位置に動くように構成されるが、これについては後で詳細に説明する。
【００５６】
相互作用部材１３は突起とすることができる。相互作用部材１３はカムを含むことができる。相互作用部材１３は、インジケーション要素１１と相互作用するように適合され配置される。相互作用部材１３がインジケーション要素１１と機構的に協働するとき、インジケーション要素１１は第１の位置から第２の位置に動く。相互作用部材１３の、ハウジング２に対する軸方向位置は、キャップ７がデバイス１に連結されるときのインジケーション要素１１の、ハウジング２に対する軸方向位置によって決まる。相互作用部材１３は、キャップ７をデバイス１と連結または分離するためにキャップ７をデバイス１に対して動かすときにインジケーション要素１１が相互作用部材１３に沿って進むように、ある軸方向位置をハウジング２に対して含む。相互作用部材１３は、たとえば、デバイス１の遠位端部分に配置することができる。あるいは、相互作用部材１３は、上述のようにインジケーション要素１１の軸方向位置に応じて、デバイス１の中間部分または近位端部分に配置することもできる。相互作用部材１３の軸方向位置は、インジケーション要素１１のロッキング部分１１Ａの軸方向位置よりも遠位にすることができる。
【００５７】
キャップ７で、特にインジケーション要素１１および表示部材１３は、使用者に対して情報を表示するように構成される。この情報は、デバイス１の使用状態を示すことができる。この情報は、キャップ７がデバイス１から初めて取り外されたのかどうかを示すことができる。したがって、情報が使用状態を示すという語句では、薬物の用量がデバイス１からすでに投薬されたかどうかを情報が示すということを必ずしも意味しない。そうではなくて、情報は、使用者がキャップ７をデバイス１から少なくとも一度は取り外し、したがって、製造者から供給された状態と比較してデバイス１の滅菌性を低減させたかどうかを示すことができる。
【００５８】
この情報を表示するために、インジケーション要素１１は、キャップの色とは異なる色を有する。インジケーション要素１１は、たとえば青色を有することができ、キャップ７は、たとえば白色を有することができる。使用者に提供される情報は、インジケーション要素１１が第１の位置から第２の位置に動かされたときに変わる。これについて以下で説明する：
【００５９】
デバイスが製造者から供給されるとき、インジケーション要素１１は第１の位置にある。製造時にデバイス１を組み立てるとき、キャップ７は、滅菌状態下でキャップ７をデバイス１に連結するために、相互作用部材１３に沿って案内される。それによって、相互作用部材１３とロッキング部分１１Ａの間の機械的協働が、本体７Ａの可撓性により、特に本体７Ａにクランプされたインジケーション要素１１の可撓性により、阻止される。
【００６０】
したがって、デバイス１が製造者から供給されるとき、キャップ７はデバイス１に連結されている。デバイス１が製造者から使用者に供給されるとき、デバイス１は新しい。したがって、デバイスは以前に使用されていなく、キャップ７は、デバイス１から初めてでも取り外されなかった。デバイス１が製造者から供給されるとき、インジケーション要素１１は、上述のように第１の位置（図２参照）に位置している。したがって、使用者は、表示部材１２を通してロッキング部分１１Ａを見ることができない。もっと正確に言えば、使用者は、たとえば白色を有するキャップ７しか見ることができない。この白色は、デバイス１がまだ使用されていないこと、特に、キャップ７がデバイス１から初めてでも取り外されていないことを示す。
【００６１】
デバイス１を初めて使用できるようにするために、使用者は、キャップ７をデバイス１から取り外さなければならない。デバイス１からキャップ７を取り外すために使用者がキャップ７をハウジング２に対して動かすとき、インジケーション要素１１は、ハウジング２に対して、また相互作用部材１３に対して遠位方向に、カートリッジホルダ３（および／またはカートリッジ４）に沿って動く。具体的には、インジケーション要素１１は、相互作用部材１３に沿って進む。それによって相互作用部材１３は、ロッキング部分１１Ａと機械的に協働する。これは、インジケーション要素１１が上述のように第１の位置にあるときには、インジケーション要素１１がキャップ７の内側に突出するので可能である。それゆえに、インジケーション要素１１が第１の位置にあるときには、相互作用部材１３とロッキング部分１１Ａは径方向で重なる。相互作用部材１３は、インジケーション要素１１を遠位に、ならびに本体７Ａに対して径方向外向きに、第２の位置に付勢する。インジケーション要素１１を第２の位置に動かすと、キャップ７によって提供される情報が変わる。具体的には、インジケーション要素１１が第２の位置に動くとき、ロッキング部分１１Ａは、少なくとも部分的に径方向外向きに表示部材１２の中へ弛緩し、それによって表示部材１２と係合する。したがって、ロッキング部分１１Ａは、表示部材１２を通して見えるようになる。したがって、使用者は、デバイス１が使用中であることを示す、特に、キャップ７がデバイス１から少なくとも一度は取り外され、それによってデバイス１の滅菌性が低下したことを示す、（たとえば青）色のインジケーション要素１１を見ることができる。
【００６２】
第２の位置では、インジケーション要素１１は、表示部材１２との機械的協働による動きに抗して恒久的にロックされる。したがって、インジケーション要素１１は、第２の位置から元の第１の位置に動かすことができない。インジケーション要素１１が第２の位置にあるとき、インジケーション要素１１はもはや、それが相互作用部材１３と機械的に協働できるようにキャップ７の中に突出することがない。具体的には、インジケーション要素１１が第２の位置（図３参照）にあるときには、ロッキング部分１１Ａと相互作用部材１３の間に径方向の距離があるので、インジケーション要素１１と相互作用部材１３の間のさらなる機械的協働が阻止される。
【００６３】
キャップ７がデバイス１から取り外されるとすぐに、使用者は、薬物１０の用量を設定し投薬するためのデバイス１を使用することができる。その後、使用者は、キャップ７をデバイスに再連結するために、ハウジング２に対して近位方向にキャップ７を動かすことができる。それによって、相互作用部材１３とインジケーション要素１１の間の機械的協働は、上述の径方向の距離により防がれる。したがって、使用者は、キャップ７をデバイス１に連結するために、キャップ７をデバイス１の上で容易に滑らせることができ、インジケーション要素１１は、第２の位置に恒久的にロックされ、そうしてキャップ７は、デバイス１から少なくとも一度はキャップ７が取り外されたことを示す情報を恒久的に提供する。キャップ７がデバイス１から２回目に、またそれに続く回数にわたって取り外されるときには、示される情報は変わらない。
【００６４】
もちろん、本明細書に記載の異なる実施形態の特徴を互いに組み合わせて、上記で説明されなかったさらなる実施形態を形成することができる。
【符号の説明】
【００６５】
１  薬物送達デバイス
２  ハウジング
３  カートリッジホルダ
４  カートリッジ
５  ピストンロッド
６  ボタン
７  キャップ
７Ａ  本体
７Ｂ  阻止部材
７Ｃ  閉端部
７Ｄ  開端部
８  遠位端
９  近位端
１０  薬物
１１  インジケーション要素
１１Ａ  ロッキング部
１１Ｂ  保持部分
１２  表示部材
１３  相互作用部材
１４  軸
１５  栓
【図１】
0006298056.tif 000002
【図２】
0006298056.tif 000003
【図３】
0006298056.tif 000004